(57)【要約】【課題】新たな緑化可能な傾斜屋根を提供する。【解決手段】傾斜屋根面上に、傾斜方向と直交する横方向に、桟木を多段式に載置し；植生基盤止め用立ち上がり部を有する植生基盤を載置するための植生パレットまたは植生基盤止め用係り止め部を有する植生基盤を載置するための基板を、傾斜屋根面と植生パレットまたは基板の間に空間が生じるように、多段式に設置された桟木上に設置して、傾斜屋根を覆い；次いで、植生パレットまたは基板に植生基盤を載置してなる緑化可能な傾斜屋根は、屋根面の遮熱および断熱効果が著しくすぐれたものである。【選択図】        図１
2004150139.tif 000002
【特許請求の範囲】
【請求項１】
傾斜屋根面上に、傾斜方向と直交する横方向に、桟木を多段式に載置し；植生基盤を載置するための植生パレットまたは基板を、傾斜屋根面と植生パレットまたは基板との間に空間が生じるように、多段式に設置された桟木上に設置して、傾斜屋根を覆い；次いで、植生パレットまたは基板上に植生基盤を載置してなる緑化可能な傾斜屋根。
【請求項２】
植生基盤止め用立ち上がり部を端部に沿って有する植生パレットを、植生基盤止め用立ち上がり部が傾斜方向の下側に来るように、多段式に設置された桟木上に載置して、傾斜屋根を覆った、請求項１の緑化可能な傾斜屋根。
【請求項３】
植生パレットを、傾斜屋根面上に多段式に載置された桟木上に、傾斜方向に沿って多段式に且つ傾斜方向と直交する横方向に並列に載置して、傾斜屋根全体を覆った、請求項１または２の緑化可能な傾斜屋根。
【請求項４】
植生パレットが、植生基盤止め用立ち上がり部を有する端部の他方の端部に沿って、植生パレットを桟木上に載置するための係り止め部を有する、請求項１から３のいずれかの緑化可能な傾斜屋根。
【請求項５】
植生基盤止め用係り止め部を有する基板を、植生基盤止め用係り止め部が傾斜方向と直交する横方向になるように、多段式に載置された桟木上に傾斜方向に沿って多段式に載置して、傾斜屋根を覆った、請求項１の緑化可能な傾斜屋根。
【請求項６】
植生基盤止め用係り止め部が基板に一体となって構成されてた凸部または基板上に別体に構成した凸部もしくはＬ字型部である、請求項５の緑化可能な傾斜屋根。
【請求項７】
傾斜屋根最上部から植生パレットと植生パレット上に載置された植生基盤の間または基板と基板上に載置された植生基盤の間を水が流下するように、傾斜屋根最上部に潅水装置を設け、傾斜屋根最上部から流下する水が傾斜屋根上側に載置された植生パレットの植生基盤止め用立ち上がり部または基板の植生基盤止め用係り止め部によって堰き止められて飽和し、飽和した水が植生パレットの植生基盤止め用立ち上がり部または基板の植生基盤止め用係り止め部を乗り越えて、その下側に載置された植生基盤に水が更に流下するように構築された、請求項２から６のいずれかの緑化可能な傾斜屋根。
【発明の詳細な説明】
【０００１】
【発明の属する技術分野】
本発明は、芝生などの植物を植栽できるようにした緑化可能な傾斜屋根に関する。更に詳細には、傾斜屋根面上に、植生基盤を載置するための植生パレットまたは基板を、傾斜屋根面と植生パレットまたは基板の間に空間が生じるように載置し、植生パレットまたは基板上に植生基盤を載置してなる緑化可能な傾斜屋根であって、屋根面の遮熱、断熱効果が改善された緑化可能な傾斜屋根、更には、植生基盤上に植栽される植物への灌水が改善された緑化可能な傾斜屋根に関する。
【０００２】
【従来の技術】
従来、ビルの屋上などの平坦な屋根面を緑化するために、屋上に植生基盤を造成し、この植生基盤に、例えば切芝やロール芝などの植物を植栽して、目に安らぎを与え、更には遮熱、断熱効果を図ることが行われている。
更に、一般住宅などの傾斜屋根の緑化も行われており、例えば、傾斜屋根を緑化するために屋根下地に防水シートを敷設し、排水用長尺板等を設けた勾配屋根の植栽施工体が提案されている（特許文献１）。また、山部と谷部を有する勾配屋根に、低背な板状の緑化ユニットを勾配屋根上に隣接して並べ、緑化ユニット上に植物を植栽した勾配屋根の緑化ユニットも提案さている（特許文献２）。更には、傾斜屋根上に係り止め部を有する基板を設置し、基板上に植物生育用マットを固定した緑化可能な屋根も提案されている（特許文献３）。
【０００３】
【特許文献１】
特開平８−１３７１３号公報
【特許文献２】
特開２０００−３２４９５３号公報
【特許文献３】
特開２００１−７８５６１号公報
【０００４】
【発明が解決しようとする課題】
上記した従来の傾斜屋根の緑化方法は、屋根の遮熱、断熱効果などが依然として十分ではなく、また植栽した植物への灌水も屋根全体に植栽された植物へ均一に水を供給する点で依然として改良の余地のあるものである。
従って、本発明の課題は、傾斜屋根の遮熱、断熱効果が改善され、また、灌水も改善された緑化可能な傾斜屋根を提供することにある。
【０００５】
【課題を解決するための手段】
本発明は、傾斜屋根面上に、傾斜方向と直交する横方向に、桟木を多段式に載置し；植生基盤を載置するための植生パレットまたは基板を、傾斜屋根面と植生パレットまたは基板との間に空間が生じるように、多段式に設置された桟木上に設置して、傾斜屋根を覆い；次いで、植生パレットまたは基板上に植生基盤を載置してなる緑化可能な傾斜屋根に関する。
本発明では、植生基盤止め用立ち上がり部を端部に沿って有する植生パレットを、植生基盤止め用立ち上がり部が傾斜方向の下側に来るように、多段式に設置された桟木上に載置して傾斜屋根を覆った、あるいは植生基盤止め用係り止め部を有する基板を、植生基盤止め用係り止め部が傾斜方向と直交する横方向になるように、多段式に載置された桟木上に傾斜方向に沿って多段式に載置して、傾斜屋根を覆った緑化可能な傾斜屋根が好ましい。
また、本発明では、傾斜屋根最上部から植生パレットと植生パレット上に載置された植生基盤の間または基板と基板上に載置された植生基盤の間を水が流下するように、傾斜屋根最上部に潅水装置を設け、傾斜屋根最上部から流下する水が傾斜屋根上側に載置された植生パレットの植生基盤止め用立ち上がり部または基板の植生基盤止め用係り止め部によって堰き止められて飽和し、飽和した水が植生パレットの植生基盤止め用立ち上がり部または基板の植生基盤止め用係り止め部を乗り越えて、その下側に載置された植生基盤に水が更に流下するように構築された、緑化可能な傾斜屋根が好ましい。
【０００６】
【発明の実施の形態】
以下に本発明の実施の形態を、添付した図面を参照して詳細に説明する。図１は、植生パレットを用いた本発明の緑化可能な傾斜屋根の説明的外観図である。図２、図３、図４および図５は、植生パレットを用いた本発明の緑化可能な傾斜屋根の側面断面図である。図６は、基板を用いた本発明の緑化可能な傾斜屋根の側面断面図である。１は屋根の野地板、２は防水シート、３は防水シートを止め抑えるするためのルーフテープ、４は桟木、５は植生を載置するための植生パレット、６は植生を栽培するための植生基盤、７は植生である。
野地板１、防水シート２、ルーフテープ３、桟木４は、傾斜屋根面上に、順に積層載置し、桟木をステンレス釘８などの防錆性、止水性を施した金具により数ヶ所固定する。桟木は、図１に示すように、傾斜屋根面上に、屋根の傾斜方向と直交する横方向に、多段式に載置する。桟木４は、通常、横方向に連続させて設置し、屋根の傾斜方向では、２００ｍｍ〜１０００ｍｍ、好ましくは４００ｍｍ〜６００ｍｍの間隔を持って多段式に載置する。
【０００７】
植生パレット５は、図２、図３および図５に示すように、植生基盤止め用立ち上がり部９を端部に沿って有する。更に、植生パレットは、植生基盤止め用立ち上がり部９を有する端部の他方の端部に沿って、植生パレットを桟木上に載置するための係り止め部１０を有するのが好ましい。植生パレットは、通常、ステンレス板、鉄板、亜鉛鉄板、アルミニウム板、銅板等の金属板、木材や木材加工品、合成板等からなる木質板、各種セメント板、スレート板等の板状体などを材料としてなるものが用いられる。植生パレットは、例えば、その係り止め部を、傾斜屋根の上側に来るようにして、植生パレットの端部を桟木４に引掛け止めする。この時、植生基盤止め用立ち上がり部９は、傾斜屋根の傾斜方向の下側に来る。植生パレットの上側部の数ヶ所をステンレス釘８などの防錆性、止水性を施した金具により桟木に数ヶ所固定することができる。このようにして、植生パレットを桟木上に載置することにより、図２、図３、図４および図５に示すように、傾斜屋根面上と載置された植生パレットとの間に空間１１が設けられるようになる。
【０００８】
また、本発明では、植生パレットの代わりに、図６に示すように植生基盤止め用係り止め部１４を有する基板１３を用いることもできる。植生基盤止め用係り止め部１４は、基板に一体となって成形され構成されてた凸部でもよく、また基板上に別体に構成した凸部もしくはＬ字型部であってもよい。別体に構成した凸部もしくはＬ字型部は、レール状に成形したものを、基板にリベットなどで止めかあるいは溶接などにより取り付ければよい。このような係り止め部は、傾斜屋根面上の桟木に基板を載置後に、取り付けてもよく、また載置前に取り付けてもよい。基板は、植生パレットと同様に、通常、ステンレス板、鉄板、亜鉛鉄板、アルミニウム板、銅板等の金属板、木材や木材加工品、合成板等からなる木質板、各種セメント板、スレート板等の板状体などを材料としてなるものが用いられる。
基板は、多段式に載置された桟木上に、屋根面上と基板との間に空間１１が生じるように、且つ植生基盤止め用係り止め部が屋根傾斜方向と直交する横方向になるように、屋根傾斜方向に沿って多段式に載置するのが好ましい。基板は、ステンレス釘などによって桟木に止めればよい。基板は、傾斜屋根と直交する横方向に並列して、複数個を載置してもよく、また、横方向を一枚の基板で傾斜屋根を覆ってもよい。
【０００９】
以上のようにして、本発明では傾斜屋根面と植生パレットまたは基板との間に空間が設けられ、この空間１１により、屋根面の空気流通が促進され、本発明の緑化可能な傾斜屋根は、遮熱、断熱効果が従来のものに比べて著しく改善されたものとなる。この空間１１からなる通気層間隔は、通常、２０ｍｍ〜１００ｍｍ、好ましくは４０ｍｍ〜８０ｍｍである時に、遮熱、断熱が有効に達成される。この空間１１には、必要に応じて、凹凸を有する平板上のスペーサー１２を設置してもよい。このようなスペーサーとしては、金属製、樹脂製などの耐久性のある材質からなるものであればいずれでもよく、例えば、トタン、ポリカーボネートの波板、高密度ポリエチレンの圧縮成形品、ポリプロピレン、ポリエチレン等の繊維を面状に固めたシート材などの材料からなるものが挙げられる。
【００１０】
上記したように、基板は、傾斜屋根と直交する横方向に並列して、複数個を載置してもよく、また、横方向を一枚の基板で傾斜屋根を覆ってもよい。同様に、植生パレット５も、傾斜屋根と直交する横方向においては、図１に示すように、屋根の横方向に連続または所定長さに分割して並列に載置することができる連続して載置する場合、例えば金属板を、ローリングフォーミングマシンなどの押出し成形機械を用い、対象とする屋根長さに合わせて、横方向の長さを屋根の横方向の長さに合わせて、植生パレットまたは基板の成形を行う。このことによって、工場による生産ばかりでなく、実際の現場での加工が可能になる。
分割して並列に設置する場合、あらかじめ所定の寸法に分割されて作成された植生パレットまたは基板の両端部は、互いの植生パレットまたは基板と所定の重ね代をもち、載置するのが好ましい。所定の寸法Ｌの決定は、以下の式によって求めることができる。
【００１１】
【式１】
所定の寸法＝（軒の長さ−ｔ）／ｎ
所定重ね代ｔは、重ね代強度を保つことができればよく、例えば、所定の寸法の１／１０以上であることが望ましい。自然数ｎは、強度、耐水性、施工性から勘案し、決定する値であり、その値は１〜１０、好ましくは４〜６である。このようにして設定された植生パレットまたは基板の横幅は、通常３０ｃｍ〜９０ｃｍである。
また、植生パレットまたは基板の、傾斜屋根面上に載置した時の傾斜方向と同じ方向の縦幅は、通常、１５ｃｍ以上１００ｃｍ以下、好ましくは３０ｃｍ以上５０ｃｍ以下である。植生パレットまたは基板の縦幅が小さい場合、後述する灌水方式で水を植生パレットまたは基板に流下させた時に、植生パレットまたは基板上に載置された植生基盤の全面がほぼ飽和水分量となり、植生の根腐れが発生しやすいだけでなく、小さい植生パレットまたは基板を多く載置することになるためにコスト高になり、施工性も悪く漏水の危険性が高くなる。また、植生パレットまたは基板の縦幅が著しく大きい場合、植生パレットまたは基板内の上下位置の違いによる水分不均等が発生しく、施工性が悪くなる。また、屋根面に固定するポイントが相対的に少なくなるため強風への耐性が弱くなる。
以上に述べたような横幅および縦幅を有する植生パレットまたは基板を用いることにより、植生パレットまたは基板の取付けは、従来行われている屋根瓦の取付け方法と同様に、取付け可能となる。
【００１２】
植生基盤６は、植生パレット５または基板１３に載置される。植栽基盤６は、屋根・屋上用に軽量成形化された土壌を用いることができる。これにより、運搬、取付けなどの取扱いが容易となる。植生基盤６は、例えば、植生パレット５または基板１２の表面形状を凹凸、カギ状、ループ状など突起物を設け、植生７の根をからみやすくすることもできる。これにより、植生バレット５または基板１３と植生基盤６との固定度が高まる。
植生基盤としては、本発明では、ｐＦ１．８時の容水量が２００リットル／ｍ３以上９００リットル／ｍ３以下のものが好ましく、特に好ましくは３００リットル／ｍ３以上８００リットル／ｍ３以下のものである。本発明に用いるこのような好ましい植生基盤としては、例えば、ロックウール、発泡ウレタンホーム（オアシス）、パーライト、バーミキュライト、ヤシ外果皮の解砕物、ピートモス、赤土、黒土などが挙げられる。植生基盤は、ロックウール、発泡ウレタンホーム（オアシス）、パーライト、バーミキュライト、ヤシ外果皮の解砕物、ピートモス、赤土、黒土などを繊維製シートで被覆し圧縮成形した植物生育用軽量マットでもよい。これらの植生基盤が降雨によって流出しないように配慮する必要がある。この方法としては、屋根面に施工する前にあらかじめ植物を植え、植物で完全に土壌表面が被覆する程度あるいは完全に根鉢を形成する程度まで養生しておく方法や、植生基盤をネットなどに包む方法などを用いることができる。
【００１３】
植生７は、植生基盤６に載置する。植生７はあらかじめ、別途、平地において植生基盤６上で、一定の予備栽培を行うのが好ましい。これにより、植生７の植生基盤６への固定度が高まる。また、植生パレット５または基板１３から植生７までの載置を、あらかじめ、平地において別途、予備栽培を行うこともできる。予備栽培は通常、植物の活着を以て終了とすることができる。植物が活着した状態とは、植栽する植物の根が植生基盤まで十分に侵入した状態をいい、好ましくは植生基盤の底面まで根が伸長し露出された状態となることがよい。更に植物の地上部が植生基盤のできるだけ全域（６０％以上）を覆う程度に繁茂した状態になることが好ましい。これにより、それぞれの固定度を高めることによって、ひとつのユニットとして扱うことができ、能率的に施工を進めることができる。また、設置後の屋根面からのずれや強風などにより吹き飛ばされることなく、堅固な設置状態とすることができる。
【００１４】
本発明で用いる植物については、特に制限はないが、耐乾性、耐暑性が高い、宿根性、矮性などの性質を兼ね揃えたものが好ましい。これらの性質を具備する植物の例として、芝、イワダレソウ、ミント類、ローズマリー、タマリュウ、ササ類、ヤブラン、マンネングサ、コニファー類が挙げられる。
【００１５】
本発明の緑化可能な傾斜屋根においては、傾斜屋根最上部から植生パレットと植生パレットに載置された植生基盤の間または基板と基板上に載置された植生基盤の間を水が流下するように、傾斜屋根最上部に潅水装置を設けて灌水するのが好ましい。例えば、図４および図７に示すように、傾斜屋根の最上部に灌水チューブ１５を設置して灌水するのが好ましい。傾斜屋根最上部の例えば灌水チューブから流下する水２２が、傾斜屋根上側に載置された植生パレットとその植生パレット上に載置された植生基盤の間または基板と基板上に載置された植生基盤の間を流下するように灌水するのが好ましい。図５および図７に示すように、植生パレットと植生基盤の間または基板と基板上に載置された植生基盤の間を流下する水は、植生パレットの植生基盤止め用立ち上がり部９または基板の植生基盤止め用係り止め部１４によって堰き止められて飽和し、飽和した水が植生基盤止め用立ち上がり部９または植生基盤止め用係り止め部１４を乗り越えて、その下側に載置された植生基盤に水が更に流下する。
このような、所謂底面潅水法により潅水することにより、植生基盤と植生パレットの間または植生基盤と基板の間を流下した水は植生基盤の持つ毛管作用により植生基盤全体に渡ることができる。このような底面灌水法を採用する場合、上記したように植生基盤は、ｐＦ１．８時の容水量が２００リットル／ｍ３以上９００リットル／ｍ３以下のものが好ましく、特に３００リットル／ｍ３以上８００リットル／ｍ３以下のものが好ましい。ＰＦ１．８の容水量が２００リットル／ｍ３以下の植生基盤を用いた場合、給水能が著しく劣るため特に屋根上端部側の植生パレットまたは基板内で水分不足となる。また、容水量が著しく多い場合、植生パレットの植生基盤止め用立ち上げ部または基板の植生基盤止め用係り止め部と平面部で囲まれた部分に溜まった水が植物の吸収により適湿になるまでに時間がかかり、場合によっては過湿で根腐を起こしたり、植生パレットまたは基板内での水分不均等を起こしたりするので好ましくない。
また、植生パレットの植生基盤止め用立ち上がり部または基板の植生基盤止め用係り止め部を乗り越えて、それより下位に載置された植生基盤に流下する水が速やかに植生基盤底部に流下するためのスペーサを設けることが好ましい。このスペーサは透水性が飽和透水係数の値で凡そ０．０１ｍ／ｓｅｃ以上で、屋上での使用に適した対熱性、紫外線耐性、分解耐性等を有すればとくに制限はないが、凹凸形状のあるプラスチック板（登録商標：グリシート、製造元：タキロン（株）、一般名称：土木で使用する場合は、面状排水材、屋上緑化の底面に使用する場合のみ、貯水機能つき面状排水材）、玉砂利等を用いることができる
【００１６】
更に、いずれの植生基盤を用いた場合でも、通常、水道（みずみち）と呼ばれる水が他に比べて著しく通りやすい部分が形成され、それにより水分の不均等が発生するが、本発明では植生パレットの植生基盤止め用立ち上がり部または基板の植生基盤止め用係り止め部によって必ず水が堰き止められるため、そのような水分の不均等が発生しない。また、植生パレットまたは基板に堰き止められる水の量は、植生基盤止め用立ち上がり部の長さと植生パレットまたは植生基盤止め用係り止め部の長さと基板を設置する傾斜屋根の傾斜角度によって決定され、これらが変わらない限り単位植生パレットまたは基板あたりの保水量が等しくなる。底面灌水方式で灌水することによって、上部の植生パレットまたは基板が飽和になると植生基盤止め用立ち上がり部を越えて、それより下位に載置される植生基盤に水が流下する。これが次々と繰り返され、最終的に屋根面全体が一律に一時的に飽和水分となるため、屋根上に載置される場所の違いによる植生パレット間の水分不均等が発生しない。このように、植生基盤止め用立ち上がり部を設けた植生パレットまたは植生基盤止め用係り止め部を設けた基盤を、傾斜屋根面上に多段式に載置したところに、屋根面最上部から底面灌水方式にて灌水することにより、屋根面全体を均一に灌水することができる。
【００１７】
灌水方法は屋根面全体が飽和となる量を灌水するかけ流し方式でもよいが、図６に示すように、灌水する水を可能なかぎり節約するためにタンク１９を設置した循環式が好ましい。一定間隔でポンプ１６を一定時間駆動し、屋根最下部の灌水チューブから水が流れ出る程度に灌水する。図７に示すように、余剰水はタンク１９内に戻るように設定することにより、植物に必要な量だけ灌水することができる。ポンプ１６を動かす間隔は季節や栽培する植物に応じて決めればよく、例えば芝の場合、夏季は毎日、春あるいは秋は２〜３日おき、冬場は２週間に一度程度が好ましい。用いるポンプ１６は屋根最上部まで揚水能力があるものならとくに制限はなく、浅井戸用の水中ポンプや受水槽用ポンプなどが利用できる。また、希釈混入型液肥混合装置１７を用いることによってポンプから屋根面に上げる水中に一定濃度で液肥を混合することができ、施肥も同時に行うことができる。屋根最下部からタンク１９に戻る配管の途中に水センサー１８を設けることにより、ポンプの駆動時間を最小限に制御することができる。水センサー１８が配管中を流れる水を感知したらポンプ１６を止めるよう信号を出すことにより、降雨時の運転を止めたり、降水が続いた後で植生基盤の水分が多いときなどにポンプ１６の運転時間を短縮させたりできる。用いる水センサー１８にとくに制限はなく、貯水部１９と組み合わせたフロート式や水の通電を利用した電極式等が例示される。
【００１８】
以上に説明した本発明の緑化可能な傾斜屋根の適用地域は、建築・省エネルギー機構の次世代省エネルギー基準の地域区分に基づき、ＩＩＩ地域以西の屋根の断熱・遮熱が必要とされる地域に適用するのが好ましい。ＩＩＩ地域以西の平均気温は通常、年間最高気温２４℃以上、年間最低気温１．０℃以上の地域である。
【００１９】
【実施例】
以下に本発明を実施例により更に詳細に説明する。
図１から図５に示すようにして、実際に緑化可能な傾斜屋根を作成して、本発明の傾斜屋根における遮熱効果および断熱効果を調べた。
本発明の傾斜屋根における空間１１を形成する植生パレット５と野地板１の間の間隔ｄとそのときの野地板表面における夏季の最高温度と冬季の最低温度の測定結果をそれぞれ図８および図９に示した。夏季、冬季とも通気層間隔ｄが大きくなるほど、野地板表面温度は低下していくものの、間隔ｄがおおよそ６０ｍｍを超えると、表面温度は一定の値に近づく。図１０は、図８および図９の結果から、両者の温度差を図示したものである。両者の差は、遮熱、断熱による温度低下幅を示し、この値が大きくなるほど、遮熱、断熱とも効果が大きくなることを示している。
図１０より、空間１１の通気層間隔ｄが６０ｍｍを超えると、遮熱・断熱効果がほぼ一定となる。このことから、断熱を考慮した遮熱に効果的な空間１１の通気層間隔ｄは、２０ｍｍ〜１００ｍｍ、好ましくは４０ｍｍ〜８０ｍｍである。
【図面の簡単な説明】
【図１】図１は、植生パレットを用いた本発明の緑化可能な傾斜屋根の説明的外観図である。
【図２】図２は、植生パレットを用いた本発明の緑化可能な傾斜屋根の側面断面図である。
【図３】図３は、植生パレットを用いた本発明の緑化可能な傾斜屋根の側面断面図である。
【図４】図４は、植生パレットを用いた本発明の緑化可能な傾斜屋根の側面断面図である。
【図５】図５は、植生パレットを用いた本発明の緑化可能な傾斜屋根の側面断面図である。
【図６】図６は、基板を用いた本発明の緑化可能な傾斜屋根の側面断面図である。
【図７】図７は、本発明の緑化可能な傾斜屋根の灌水方式の説明図である。
【図８】図８は、本発明の傾斜屋根における空間を形成する植生パレットと野地板の間の間隔とそのときの野地板表面における夏季の最高温度の測定結果を示す。
【図９】図９は、本発明の傾斜屋根における空間を形成する植生パレットと野地板の間の間隔とそのときの野地板表面における冬季の最高温度の測定結果を示す。
【図１０】図１０は、図８および図９の結果から、両者の温度差を図示したものである。
【符号の説明】
１  屋根の野地板
２  防水シート
３  防水シートを止め抑えるするためのルーフテープ
４  桟木
５  植生を載置するための植生パレット
６  植生を栽培するための植生基盤
７  植生
８  ステンレス釘
９  植生パレットの植生基盤止め用立ち上がり部
１０  植生パレットの係り止め部
１１  植生パレットまたは基板と野地板の間で形成される空間
１２  スペーサー
１３  基板
１４  植生基盤止め用係り止め部
１５  灌水チューブ
１６  ポンプ
１７  希釈混入型液肥混合装置
１８  水センサー
１９  貯水部
２０  スイッチ
２１  電源
２２  水
【図１】
2004150139.tif 000003
【図２】
2004150139.tif 000004
【図３】
2004150139.tif 000005
【図４】
2004150139.tif 000006
【図５】
2004150139.tif 000007
【図６】
2004150139.tif 000008
【図７】
2004150139.tif 000009
【図８】
2004150139.tif 000010
【図９】
2004150139.tif 000011
【図１０】
2004150139.tif 000012